(57)【要約】【課題】組み付け性がよく、簡単な構成で各係合子をカム面に係合させることができる一方向クラッチを提供することである。【解決手段】係合子３をクラッチの軸方向に延びる柱状のものとし、これらの柱状の各係合子３の両端部にクラッチの周方向に貫通する溝３ａを設けて、これらの溝３ａにガータスプリング４を通し、各係合子３をガータスプリング４で内方部材としての回転軸１の外周面に押圧することにより、各係合子３の両端部の溝３ａに通したガータスプリング４で各係合子の散らばりを防止して、組み付け性をよくするとともに、簡単な構成で各係合子３を外方部材２のカム面２ａに係合させることができるようにした。【選択図】図１
2008128319.tif 000002
【特許請求の範囲】
【請求項１】
内方部材の外周面と対向する外方部材の内周面に複数の傾斜カム面を設け、これらのカム面が設けられた各周方向位置に前記内方部材と外方部材の間で係合子を配し、これらの各係合子を前記カム面に係合させて、前記内方部材と外方部材の一方向の相対回転をロックする一方向クラッチにおいて、前記係合子を前記クラッチの軸方向に延びる柱状のものとし、これらの柱状の各係合子の両端部にクラッチの周方向に貫通する溝を設けて、これらの溝に環状の弾性部材を通し、前記各係合子をこの環状の弾性部材で前記内方部材の外周面に押圧して、前記外方部材と内方部材が一方向に相対回転したときに、前記各係合子を前記カム面に係合させるようにしたことを特徴とする一方向クラッチ。
【請求項２】
前記環状の弾性部材をガータスプリングとした請求項１に記載の一方向クラッチ。
【請求項３】
前記柱状の各係合子を円柱状のものとした請求項１または２に記載の一方向クラッチ。
【請求項４】
前記柱状の各係合子の一部または全部を、前記クラッチの周方向で互いに当接させた請求項１乃至３のいずれかに記載の一方向クラッチ。
【請求項５】
前記外方部材に、前記内方部材との間でラジアル荷重を受けるラジアル受け部を設けた請求項１乃至４のいずれかに記載の一方向クラッチ。
【請求項６】
前記ラジアル受け部を、前記外方部材に一体に形成した請求項５に記載の一方向クラッチ。
【請求項７】
前記内方部材と外方部材の間で前記各係合子を保持する保持器を設け、この保持器にラジアル荷重を受けるラジアル受け部を設けた請求項１乃至４のいずれかに記載の一方向クラッチ。
【発明の詳細な説明】
【技術分野】
【０００１】
本発明は、一方向クラッチに関する。
【背景技術】
【０００２】
内方部材と外方部材の一方向の相対回転をロックする従来の一方向クラッチは、外方部材の内周面と内方部材の外周面のいずれか一方に複数の傾斜カム面を設け、これらのカム面が設けられた各周方向位置にころやスプラグの係合子を配して、これらの係合子をばね等の弾性部材でカム面に係合する方向に押圧するようにしている。
【０００３】
このような一方向クラッチには、各係合子間に周方向の間隔を開けて、各係合子を保持器や外方部材の保持部に個別に保持して、個別の弾性部材でカム面に係合する方向に押圧するようにしたものが多い（例えば、特許文献１参照）。一部には、ころを係合子として総ころ状態で互いに当接させて配し、これらのころを共通の弾性部材でカム面に係合する方向に押圧するようにしたものもある（例えば、特許文献２参照）。特許文献２に記載されたものでは、共通の弾性部材としてのＣ形ばねの一端を外方部材または内方部材に係止し、その他端に設けたフック部で１つのころの円筒面を押圧するようにしている。
【０００４】
また、これらの一方向クラッチでは、ころを係合子とする場合は、弾性部材で押圧されるころを転動させてカム面に係合する方向へ移動させ、スプラグを係合子とする場合は、弾性部材で押圧されるスプラグを倒伏姿勢から起立するように回動させて、カム面に係合させるようにしている。
【０００５】
【特許文献１】実開昭６０−１５０３３６号公報
【特許文献２】特開２００３−５６６０１号公報
【発明の開示】
【発明が解決しようとする課題】
【０００６】
特許文献１に記載された一方向クラッチは、各係合子を個別に保持して、個別の弾性部材でカム面に係合する方向に押圧するために、構成が複雑なものとなる問題がある。また、特許文献２に記載された一方向クラッチは、簡単な構成で係合子としての各ころをカム面に係合させることができるが、ころを保持器や外方部材の凹部に保持できないので各ころが散らばりやすく、組み付け性が悪い問題がある。
【０００７】
そこで、本発明の課題は、組み付け性がよく、簡単な構成で各係合子をカム面に係合させることができる一方向クラッチを提供することである。
【課題を解決するための手段】
【０００８】
上記の課題を解決するために、本発明は、内方部材の外周面と対向する外方部材の内周面に複数の傾斜カム面を設け、これらのカム面が設けられた各周方向位置に前記内方部材と外方部材の間で係合子を配し、これらの各係合子を前記カム面に係合させて、前記内方部材と外方部材の一方向の相対回転をロックする一方向クラッチにおいて、前記係合子を前記クラッチの軸方向に延びる柱状のものとし、これらの柱状の各係合子の両端部にクラッチの周方向に貫通する溝を設けて、これらの溝に環状の弾性部材を通し、前記各係合子をこの環状の弾性部材で前記内方部材の外周面に押圧して、前記外方部材と内方部材が一方向に相対回転したときに、前記各係合子を前記カム面に係合させる構成を採用した。
【０００９】
すなわち、柱状の各係合子の両端部の溝に通した環状の弾性部材で各係合子の散らばりを防止して、組み付け性をよくするとともに、共通の環状弾性部材で各係合子を内方部材の外周面に押圧するという簡単な構成で、各係合子をカム面に係合させることができるようにした。なお、この一方向クラッチでは、両端部の溝に環状弾性部材を通された各係合子は、転動や回動をすることはなく、そのままの姿勢で外方部材に対して相対移動してカム面に係合する。また、各係合子は両端部を環状弾性部材で拘束されているので、スキューする恐れもない。
【００１０】
前記環状の弾性部材としては、ガータスプリングを用いることができる。
【００１１】
前記柱状の各係合子を円柱状のものとすることにより、係合子を簡単に加工することができる。
【００１２】
前記柱状の各係合子の一部または全部を、前記クラッチの周方向で互いに当接させることにより、係合子の保持部を低減または全廃して、より簡単な構成とすることができる。
【００１３】
前記外方部材に、前記内方部材との間でラジアル荷重を受けるラジアル受け部を設けることにより、別途のラジアル軸受部を不要とすることができる。
【００１４】
前記ラジアル受け部は、前記外方部材に一体に形成してもよい。
【００１５】
前記内方部材と外方部材の間で前記各係合子を保持する保持器を設け、この保持器にラジアル荷重を受けるラジアル受け部を設けることによっても、別途のラジアル軸受部を不要とすることができる。
【発明の効果】
【００１６】
本発明の一方向クラッチは、柱状の各係合子の両端部の溝に通した環状の弾性部材で各係合子の散らばりを防止したので、組み付け性をよくすることができ、かつ、共通の環状弾性部材で各係合子を内方部材の外周面に押圧するという簡単な構成で、各係合子をカム面に係合させることができる。
【００１７】
前記柱状の各係合子を円柱状のものとすることにより、係合子を簡単に加工することができる。
【００１８】
前記柱状の各係合子の一部または全部を、クラッチの周方向で互いに当接させることにより、係合子の保持部を低減または全廃して、より簡単な構成とすることができる。
【００１９】
前記外方部材に、内方部材との間でラジアル荷重を受けるラジアル受け部を設けることにより、別途のラジアル軸受部を不要とすることができる。
【００２０】
前記内方部材と外方部材の間で各係合子を保持する保持器を設け、この保持器にラジアル荷重を受けるラジアル受け部を設けることによっても、別途のラジアル軸受部を不要とすることができる。
【発明を実施するための最良の形態】
【００２１】
以下、図面に基づき、本発明の実施形態を説明する。図１（ａ）、（ｂ）は、第１の実施形態を示す。この一方向クラッチは、内方部材としての回転軸１の外周面と対向する外方部材２の内周面に複数の傾斜カム面２ａが設けられ、これらのカム面２ａが設けられた各周方向位置に回転軸１と外方部材２の間で円柱状の係合子３が配され、各係合子３の両端部に設けられた周方向に貫通する溝３ａに、環状の弾性部材としてのガータスプリング４が通されて、各係合子３が回転軸１の外周面に押圧されている。
【００２２】
前記外方部材２の内周面には、回転軸１との間でラジアル荷重を受けるラジアル受け部２ｂが、周方向の３箇所で一体に形成され、これらのラジアル受け部２ｂで３つに区画されたクラッチ空間に、それぞれ柱面を互いに当接させた２組の３つずつの係合子３と、１組の２つの係合子３が収納されている。各係合子３は、各ラジアル受け部２ｂの両外側に通されたガータスプリング４によって、軸方向の移動を拘束されている。
【００２３】
図１（ａ）中に矢印で示すように、前記回転軸１が反時計回りに回転すると、各係合子３は、そのままの姿勢で回転軸１と一緒に外方部材２のカム面２ａに係合する方向に移動し、回転軸１を外方部材２にロックする。また、回転軸１が時計回りに回転すると、各係合子３はカム面２ａから離脱する方向に移動し、回転軸１のロックが解除される。
【００２４】
図２は、前記係合子３の変形例を示す。この変形例の係合子３は、前記カム面２ａと係合する側を向く流線形断面とされ、流線形の先端部が前側の係合子３の背面に当接されており、流線形の上斜面でカム面２ａと係合するようになっている。
【００２５】
図３（ａ）、（ｂ）は、第２の実施形態を示す。この一方向クラッチは、前記各係合子３を両側の環状部５ａで軸方向に保持する保持器５が設けられ、この保持器５に、回転軸１と外方部材２の間でラジアル荷重を受けるラジアル受け部５ｂが周方向の３箇所に設けられている。保持器５は、ラジアル受け部５ｂの外径面に設けられた凸条５ｃで、外方部材２の内径面に設けられた凹溝２ｃに係止されて回り止めされている。その他の部分は第１の実施形態のものと同じであり、ラジアル受け部５ｂで３つに区画されたクラッチ空間には、それぞれ柱面を互いに当接させた２組の３つずつの係合子３と、１組の２つの係合子３が収納されている。
【００２６】
図４（ａ）、（ｂ）は、第３の実施形態を示す。この一方向クラッチは、前記外方部材２の内周面両端部の段差部２ｄに、回転軸１との間のラジアル荷重を受ける別体のラジアル受け部材６が内嵌され、これらのラジアル受け部材６の間で、各係合子３が柱面を互いに当接させた総ころ状態で配されている。この実施形態では、各係合子３はラジアル受け部材６で軸方向の移動を拘束されている。その他の部分は第１の実施形態のものと同じである。
【００２７】
上述した各実施形態では、内方部材側を回転する回転軸としたが、本発明に係る一方向クラッチは、外方部材側が回転するものにも適用することができる。また、上述した各実施形態では、環状の弾性部材をガータスプリングとしたが、環状の弾性部材は輪ゴム等とすることもできる。
【００２８】
さらに、上述した各実施形態と変形例では、柱状の係合子の断面形状を円形と流線形としたが、係合子の断面形状はカム面と係合するものであればよく、楕円や角を丸めた菱形等とすることもできる。
【図面の簡単な説明】
【００２９】
【図１】ａは第１の実施形態の一方向クラッチを示す側面図、ｂはａのIb−Ib線に沿った断面図
【図２】図１の係合子の変形例を示す側面図
【図３】ａは第２の実施形態の一方向クラッチを示す側面図、ｂはａのIIIb−IIIb線に沿った断面図
【図４】ａは第３の実施形態の一方向クラッチを示す側面断面図、ｂはａのIVb−IVb線に沿った断面図
【符号の説明】
【００３０】
１  回転軸
２  外方部材
２ａ  カム面
２ｂ  ラジアル受け部
２ｃ  凹溝
２ｄ  段差部
３  係合子
３ａ  溝
４  ガータスプリング
５  保持器
５ａ  環状部
５ｂ  ラジアル受け部
５ｃ  凸条
６  ラジアル受け部材
【図１】
2008128319.tif 000003
【図２】
2008128319.tif 000004
【図３】
2008128319.tif 000005
【図４】
2008128319.tif 000006